(57)【要約】      （修正有）【課題】ケースの変更、別途作成を行うことなく、製造管理が容易に行えるリール装置を提供する。【解決手段】外周面にシンボルマークが描かれた図柄シート１５ａを貼着させたリールドラム１５と、リールドラムを回転駆動するモータ１３と、図柄シートを背面から照らす照光部１７と、一側面の全周に突ガイド１１ｅを、他側面の全周に案内ガイド１１ｂを備え、リールドラムを収設すると共に、モータと照光部を固設する回胴ケース１１と、から構成される単独リール部９を、突ガイドが案内ガイドに嵌合させることにより連続して連ねて成り、任意の数の単独リール部を連結することを可能にした。【選択図】図３
2009240421.tif 000002
【特許請求の範囲】
【請求項１】
スロットマシンや弾球遊技機等の遊技機に設置されるリール装置において、
外周面にシンボルマークが描かれた図柄シートを貼着させたリールドラムと、
前記リールドラムを回転駆動するモータと、前記図柄シートを背面から照らす照光部と、一側面の全周に突ガイドを、他側面の全周に案内ガイドを備え、前記リールドラムを収設すると共に、前記モータと前記照光部を固設する回胴ケースと、から構成される単独リール部を、前記突ガイドが前記案内ガイドに嵌合させることにより連続して連ねて成り、任意の数の前記単独リール部を連結することを可能にした、ことを特徴とするリール装置。
【請求項２】
請求項１に記載の単独リール部において、単独リール部を連ねるに際し、回胴ケース側面に連結のためのスライド規制機構を備え、突ガイドが案内ガイドに嵌合させることにより、連接されたリールドラムの回転中心を連接方向の一軸上にそろえて成るとともに、任意の数の単独リール部を連結することを可能にした、ことを特徴とするリール装置。
【発明の詳細な説明】
【技術分野】
【０００１】
本発明は、スロットマシンや弾球遊技機といった遊技機に用いられるリール装置に関する。
【背景技術】
【０００２】
従来のスロットマシンや弾球遊技機といった遊技機には、外周面に複数のシンボルマークが描かれた図柄シートを有する３個のリールユニットを備えたリール装置が設置されている。前記リールユニットに設けられたリールドラムを回転することにより変化する図柄シートのシンボルマークを機体の表示窓から表示し、各リールドラムを順次停止させることにより、それぞれ停止したシンボルマークを表示窓内に表示するようにしている。
【０００３】
このようなスロットマシンにおいて、表示窓には各シンボルマークの停止位置に合わせて、上、中、下、斜めの５本の停止ラインが形成され、各リールドラムの停止時において、いずれかの停止ライン上に特定のシンボルマークの組合せが成立すると入賞となり、遊技客に所定枚数のメダルが払出されるものである。
【０００４】
前述するリール装置は、回転するリールドラムと、前記リールドラムの外周に貼り付けられ、その外周に様々なシンボルマークが描かれた図柄シートと、前記リールドラムを回転させるモータと、前記モータを取り付ける支持板と、リールドラムの内周部に設けられた照光部とから構成されたリールユニットを、箱型形状のケースに３個整列収納することで成る。このようなリール装置は、下記特許文献１にて開示されている。
【特許文献１】特開平０８−１０３５４１
【０００５】
近年、遊技機のゲーム性が多様化し、ゲーム内容に付加価値を付けるために演出効果として、リールユニットの設置個数を３個から４個、５個等に増やしたリール装置を設置するといった遊技機が存在する。その際、リールユニットの設置個数に合わせて該リールユニットを整列収納するケースの形状変更、別途作成といった対応が行なわれていた。
【発明の開示】
【発明が解決しようとする課題】
【０００６】
しかしながら、新しいゲーム性を備えた遊技機ごとに、該リールユニットを整列収納するケースの形状変更や別途作成を行うことで、手間がかかり、併せてコストアップの要因となっていた。さらに、遊技機ごとに都度、リール装置の機種を用意することで機種増加となり、製造管理が困難であった。
【０００７】
本発明は上記課題を鑑み、ケースの変更、別途作成を行うことなく、製造管理が容易に行えるリール装置を提供する。
【課題を解決するための手段】
【０００８】
上記の問題を解決するために、本発明の請求項１に係るスロットマシンや弾球遊技機等の遊技機に設置されるリール装置において、外周面にシンボルマークが描かれた図柄シートを貼着させたリールドラムと、リールドラムを回転駆動するモータと、図柄シートを背面から照らす照光部と、一側面の全周に突ガイドを、他側面の全周に案内ガイドを備え、リールドラムを収設すると共に、モータと照光部を固設する回胴ケースと、から構成される単独リール部を、突ガイドが案内ガイドに嵌合させることにより連続して連ねて成り、任意の数の単独リール部を連結することを可能にした、ことを特徴とする。  
【０００９】
また、請求項２のリール装置は、請求項１に記載の単独リール部において、単独リール部を連ねるに際し、回胴ケース側面に連結のためのスライド規制機構を備え、突ガイドが案内ガイドに嵌合させることにより、連接されたリールドラムの回転中心を連接方向の一軸上にそろえて成るとともに、任意の数の単独リール部を連結することを可能にした、ことを特徴とする。
【発明の効果】
【００１０】
本発明によれば、リール装置は、任意の数の単独リール部を連結することを可能にしたこと、リールドラムの設置個数が３個から４個、５個等に増えたとしても、回胴ケースの形状変更や別途作成を行うことなく、新しいゲーム性を備えた遊技機に設置することが可能であり、手間がかからず、コストアップを招くことはない。また、新しいゲーム性を備えた遊技機に合わせて、その都度、複数の単独リール部を互いに嵌合して組み立てるので、単独リール部のみを製造管理することができ、リール装置の機種が増加することがなく、製造管理が容易である。
【００１１】
また、回胴ケース側面の一方に備えた突ガイドが他方に備えた案内ガイドに嵌合させることにより連接されたリールドラムの回転中心を連接方向の一軸上に設置させることで、連結する際、各単独リール部に構成されるリールドラムの位置がずれることがなく連結が行え、さらに、スライド規制機構を備えたことで、ねじ等を使用せずリール装置を構成することができる。
【発明を実施するための最良の形態】
【００１２】
以下、本発明の実施例について図面を参照しながら説明する。
【実施例１】
【００１３】
以下、各図面に基づき本発明のリール装置７を詳細に説明する。  図１はリール装置７が設けられたスロットマシン１の外観斜視図を示す図である。図1において、スロットマシン１は箱型形状の本体部３と、該本体部３の前面開口に扉部５が開閉可能に設けられている。前記扉部５の前面には透明な合成樹脂板または強化ガラスの表面に任意の彩色を施して形成された上部パネル５ａと、正面パネル５ｂと、下部パネル５ｃと、が設けられている。このうち正面パネル５ｂには表示窓５ｄが設けられている。
【００１４】
また、正面パネル５ｂと下部パネル５ｃとの間には、スタートレバー５ｅとスロットマシン１の内部に設けられたリール装置に対応した３個の停止ボタン５ｆと、メダル投入口５ｇ等が設けられ、下部パネル５ｃの下方にはメダル払出口５ｈと、メダル受皿５ｊ等が設けられている。
【００１５】
図２はリール装置７の外観斜視図を示す図である。リール装置７は、スロットマシン１の内部略中央に位置し、表示窓５ｄの背面に設置される。前記リール装置７は、後述する単独リール部９を横方向直線的に複数（実施例では３個）配列し、夫々を互いに組み合わせた状態で構成される。単独リール部９には、夫々円筒形状のリールドラム１５が設けられ、その外周面に帯状の図柄シート１５ａを貼着して成り、夫々の図柄シート１５ａは透孔性を有する素材により構成され、その表面には様々な文字や図柄等のシンボルマークが描かれており、各単独リール部９を停止した際のシンボルマークの組み合わせにより入賞を成立させる構成とされている。
【００１６】
図３、図４にて単独リール部９の構成を説明する。図３、（ａ）、（ｂ）は単独リール部９の外観斜視図を示す図であり、図４は単独リール部９の分解斜視図を示す図である。図３、図４に示すように、単独リール部９は、箱型形状で片側前面が開口する回胴ケース１１と、該回胴ケース１１に固設され、回転駆動するモータ１３と、照光部１７と、前記モータ１３により回転駆動する出力軸１３ａに取付固定し、その外周に図柄シート１５ａを貼着したリールドラム１５と、から構成される。リールドラム１５を回転駆動させるモータ１３は、本発明においてはステッピングモータであり、回胴ケース１１に設けたモータ固定穴１１ａにねじ止することで固設され、出力軸１３ａを指定された角度で停止させることが可能である。
【００１７】
照光部１７は、回胴ケース１１に固設され、リールドラム１５に貼着した図柄シート１５ａの裏側を沿う周方向に配列され、照光部１７の背面に複数の発光体を配列した基板を備え、図柄シート１５ａの裏側からシンボルマークを照らし出す。また、照光部１７には、リールドラム１５の回転を検出する検出センサ（図示せず）を備えている。
【００１８】
リールドラム１５は、円筒状で、側面側にはその外周を支持する複数のスポーク部１５ｂが円周上一定間隔に設けられ、その外周面には帯状の図柄シート１５ａが貼着され、回胴ケース１１に固設したモータ１３の出力軸１３ａに配したドラム嵌合部１３ｂと嵌合し、出力軸１３ａにねじ止される。
【００１９】
リールドラム１５には、一端のスポーク部１５ｂの略中央部分に該リールドラム１５の回転を前記検出センサにて検出させるための検出片１５ｃが成形されている。該検出片１５ｃはリールドラム１５の回転に伴い、配置された検出センサを通過する方向に沿って回転し、該検出センサを通過することで、リールドラム１５の回転を検出させている。なお、図示した単独リール部９においては、本発明の特徴を説明するための構成のみを図示し、各構成をねじ止するためのネジ、モータ１３、基板等の配線などは省略する。
【００２０】
回胴ケース１１の側面側には、その側面外周形状に沿わせた案内ガイド１１ｂが成形され、前記案内ガイド１１ｂの内側の窪みを嵌合凹部１１ｃとして成る。また、該嵌合凹部１１ｃの上方下方には、横方向に伸びる係止爪１１ｄが複数（本実施例においては３個）に配設されている。
【００２１】
回胴ケース１１のもう一方の側面側には、その側面外周形状に沿わせて、嵌合凹部１１ｃの窪みと略同高さを有する突ガイド１１ｅが成形され、前記案内ガイド１１ｂよりも内周側に配されている。また、突ガイド１１ｅを配する側面には、その上方下方に係止穴１１ｆが設けられ、その配置は前記係止爪１１ｄと同位置に配されている。
【００２２】
次に、図５、図６を用いて、本発明であるリール装置７の作用を説明する。  図５は単独リール部９の組み立てを示す斜視図であり、図６は単独リール部９の嵌合を示す部分拡大断面図であり、（ａ）は係止前を示す図であり、（ｂ）は係止後を示す図である。  図５に示すように、リール装置７は、複数の単独ユニット部９の向きを同方向に合わせ、横方向直線的に並列し、隣り合う単独ユニット部９の側面を互いに嵌合して組み立てることで構成する。
【００２３】
図６に示すように、隣り合う単独リール部９の側面を互いに嵌め合わせることで、突ガイド１１ｅが案内ガイド１１ｂに案内され、該突ガイド１１ｅが嵌合凹部１１ｃに嵌り込んで嵌合し、併せて側面に設けた係止爪１１ｄが、もう一方の側面に該係止爪１１ｄと同位置に設けた係止穴１１ｆに挿通し係止され互いに固定される。夫々の単独リール部９を並列し互いに嵌合させた際、突ガイド１１ｅは側面外周形状に沿わせて設けた案内ガイド１１ｂにより案内され、嵌合凹部１１ｃに嵌り込むので、夫々の単独リール部９に構成されるリールドラム１５の回転中心を連接方向の一軸上に設置させるため、組立位置を合わせることが可能であり、併せて、係止爪１１ｄにて固定することで、リール装置７を容易に組み立てると共に、嵌合状態から外れることを規制するスライド規制機構としてなる。
【００２４】
本発明において、図７に示すように、同じ単独リール部９を複数連続して連ねて、互いに嵌合させ組み立てることでリール装置７を構成するので、リールドラム１５の設置個数が３個から４個、５個等に増えたとしても、回胴ケース１１の形状変更や別途作成を行うことなく、新しいゲーム性を備えたスロットマシン１に設置することが可能である。また、従来のリール装置７が設置されたスロットマシン１にも該リール装置７の周辺部に追加として少数（例えば単独リール部９を１個、２個等）配置することも可能である。さらに、新しいゲーム性を備えたスロットマシン１に合わせて、その都度、複数の単独リール部９を互いに嵌合させ組み立てるので、単独リール部９のみを製造管理するだけでよく、リール装置７の機種が増加することがなく、製造管理が容易である。
【００２５】
また、回胴ケース１１の側面一方に備えた突ガイド１１ｅが他方に備えた案内ガイド１１ｂに嵌合させることにより連接されたリールドラム１５の回転中心を連接方向の一軸上に設置させることで、連結する際、各単独リール部９に構成されるリールドラム１５の位置がずれることがなく連結が行え、さらに、単独リール部９同士はスライド規制機構により嵌合状態から外れることを規制するため、ねじ等を使用せずリール装置７を容易に組み立てることが可能である。
【００２６】
以上、本発明の実施形態について説明したが、本発明は単独リール部９を複数連続して連ねて、互いに嵌合させ組み立てることでリール装置７を構成するので、該単独リール部９の組み立て方法、嵌合構造等は適宜変形することが可能である。（例えば、スライド固定式等）また、リール装置を構成する上で、夫々の単独リール部９を繋ぐ板金等の補強材を設けてもよい。
【００２７】
本実施例において、スロットマシン１のリール装置７に適用した場合について説明したが、パチンコ機等の弾球遊技機やアミューズメント機器に設置されるリール装置にも適用可能とする。
【図面の簡単な説明】
【００２８】
【図１】リール装置が設けられたスロットマシンの外観斜視図を示す図である。
【図２】リール装置の外観斜視図を示す図である。
【図３】（ａ）、（ｂ）は単独リール部の外観斜視図を示す図である。
【図４】単独リール部の分解斜視図を示す図である。
【図５】単独リール部の組み立てを示す斜視図である。
【図６】単独リール部の嵌合を示す部分拡大断面図であり、（ａ）は係止前を示す図であり、（ｂ）は係止後を示す図である。
【図７】単独リール部の組立例を示す図である。
【符号の説明】
【００２９】
１      スロットマシン
３      本体部
５      扉部
７      リール装置
９      単独リール部
１１    回胴ケース
１１ａ  モータ固定穴
１１ｂ  案内ガイド
１１ｃ  嵌合凹部
１１ｄ  係止爪
１１ｅ  突ガイド
１１ｆ  係止穴
１３    モータ
１５    リールドラム
１５ａ  図柄シート
１７    照光部
【図１】
2009240421.tif 000003
【図２】
2009240421.tif 000004
【図３】
2009240421.tif 000005
【図４】
2009240421.tif 000006
【図５】
2009240421.tif 000007
【図６】
2009240421.tif 000008
【図７】
2009240421.tif 000009